(57)【要約】【課題】軸支部が開放部を有しているにも拘わらず、カバー部材が本体ケースから脱落しにくいインターホン機器を提供する。【解決手段】カバー部材１０側に係止部１８及びクリック突起１７を、本体ケース４の後面側に係止段部２５及びクリック段部２６を夫々設け、開放姿勢において回動軸１５ａ、１５ｂが凹溝２４ａ、２４ｂ内を開放部側へ移動すると、係止部１８が係止段部２５に係止し、起立姿勢において回動軸１５ａ、１５ｂが凹溝２４ａ、２４ｂ内を開放部側へ移動すると、クリック突起１７がクリック段部２６に干渉するようにした。したがって、回動軸１５ａ、１５ｂの凹溝２４ａ、２４ｂからの不用意な脱落、すなわちカバー部材１０の本体ケース４からの脱落を効果的に防止することができる。【選択図】図８
2017139565.tif 000002
【特許請求の範囲】
【請求項１】
本体ケースに、自身と他の機器とを電気的に接続するための接続端子が内蔵されており、前記本体ケースの後面に、前記接続端子を露出させるための開口が開設されているとともに、前記開口を開閉するためのカバー部材が、前記開口を開放する開放姿勢と、前記開口を覆う閉塞姿勢との間で、上下方向を軸として回動可能に取り付けられたインターホン機器であって、
前記カバー部材側に回動軸を有する軸構造部が、前記本体ケース側に前記カバー部材を軸支する軸支構造部が夫々設けられ、
前記軸支構造部として、前記本体ケースの後面で前記開口の左右何れか一方側に、後側へ起立する軸支壁が設けられており、前記軸支壁に、前記軸支壁の左右方向で外縁から内側へと切り込まれて形成され、前記軸支壁の外縁側に開放されている開放部から前記回動軸を内部へ進入させることによって前記回動軸を軸支可能な軸支部が設けられているとともに、
前記軸支構造部として、前記軸支壁の上下何れか一方に隣接した位置に、前記本体ケースの後面から後側へ隆起する係止段部と、前記係止段部の左右方向で外側にあって、且つ、少なくとも前記開放部よりも左右方向で内側が前記係止段部よりも後側へ隆起したクリック段部とが備えられている一方、
前記軸構造部として、前記カバー部材を前記開放姿勢とした際に前記本体ケース側と対向する箇所に設けられ、前記開放姿勢において前記本体ケース側へ突出する係止部と、前記カバー部材を前記開放姿勢と前記閉塞姿勢との間と中間姿勢とした際に前記本体ケース側と対向する箇所に設けられ、前記中間姿勢において前記本体ケース側へ突出するクリック突起とが備えられており、
前記開放姿勢において前記回動軸が前記軸支部内を前記開放部側へ移動すると、前記係止部が前記係止段部に係止し、前記中間姿勢において前記回動軸が前記軸支部内を前記開放部側へ移動すると、前記クリック突起が前記クリック段部に干渉することによって、前記回動軸の前記軸支部からの脱落が防止されることを特徴とするインターホン機器。
【請求項２】
本体ケースに、自身と他の機器とを電気的に接続するための接続端子が内蔵されており、前記本体ケースの後面に、前記接続端子を露出させるための開口が開設されているとともに、前記開口を開閉するためのカバー部材が、前記開口を開放する開放姿勢と、前記開口を覆う閉塞姿勢との間で、左右方向を軸として回動可能に取り付けられたインターホン機器であって、
前記カバー部材側に回動軸を有する軸構造部が、前記本体ケース側に前記カバー部材を軸支する軸支構造部が夫々設けられ、
前記軸支構造部として、前記本体ケースの後面で前記開口の上下何れか一方側に、後側へ起立する軸支壁が設けられており、前記軸支壁に、前記軸支壁の上下方向で外縁から内側へと切り込まれて形成され、前記軸支壁の外縁側に開放されている開放部から前記回動軸を内部へ進入させることによって前記回動軸を軸支可能な軸支部が設けられているとともに、
前記軸支構造部として、前記軸支壁の左右何れか一方に隣接した位置に、前記本体ケースの後面から後側へ隆起する係止段部と、前記係止段部の上下方向で外側にあって、且つ、少なくとも前記開放部よりも上下方向で内側が前記係止段部よりも後側へ隆起したクリック段部とが備えられている一方、
前記軸構造部として、前記カバー部材を前記開放姿勢とした際に前記本体ケース側と対向する箇所に設けられ、前記開放姿勢において前記本体ケース側へ突出する係止部と、前記カバー部材を前記開放姿勢と前記閉塞姿勢との間と中間姿勢とした際に前記本体ケース側と対向する箇所に設けられ、前記中間姿勢において前記本体ケース側へ突出するクリック突起とが備えられており、
前記開放姿勢において前記回動軸が前記軸支部内を前記開放部側へ移動すると、前記係止部が前記係止段部に係止し、前記中間姿勢において前記回動軸が前記軸支部内を前記開放部側へ移動すると、前記クリック突起が前記クリック段部に干渉することによって、前記回動軸の前記軸支部からの脱落が防止されることを特徴とするインターホン機器。
【発明の詳細な説明】
【技術分野】
【０００１】
本発明は、たとえば玄関に設置され、居室内に設置されるインターホン親機と通話可能に接続されるインターホン子機等といったインターホン機器に関するものである。
【背景技術】
【０００２】
一般的にインターホン機器は、他の機器と電気的に接続して使用することが多いため、ケーブル等を接続するための接続端子を内蔵したものが多数考案されている。そして、そのような接続端子が内蔵されたインターホン機器の本体ケースには、接続端子を本体ケースの外部に露出させるための開口、及び当該開口を開閉するためのカバー部材が設けられていることが多い。たとえば特許文献１に記載のインターホン機器では、本体ケースの後面に上記カバー部材が取り付けられており、開口を露出させる開放姿勢と、開口を覆う閉塞姿勢との間で回動させることにより、開口を開閉可能としている。
【０００３】
また、そのようにカバー部材を回動可能に取り付けるための構造としては、カバー部材の側縁から一対の舌片を延設し、各舌片の先端に軸部を夫々突設する一方、本体ケースの後面に舌片と同間隔で起立する一対の軸支壁を設け、各軸支壁に、軸部を軸支するための凹部や孔部等といった軸支部を夫々設けるといった構造が採用されることがある。
【先行技術文献】
【特許文献】
【０００４】
【特許文献１】特開２００７−１８０７７２号公報
【発明の概要】
【発明が解決しようとする課題】
【０００５】
しかしながら、カバー部材を取り付けるための構造として上記従来の構造を採用し、各軸支壁に軸支部を形成するにあたっては、金型等の問題により、軸支部が、軸支壁の端縁から切り込まれた溝状やスリット状に形成されることがある。すなわち、軸支部の一端を、軸支壁の端縁から軸支壁外へ開放させなければならないことがある。そして、そのような開放部を有する軸支部であると、軸部の軸支部からの抜け落ち、すなわちカバー部材の本体ケースからの脱落が問題となる。
【０００６】
そこで、本発明は、上記問題に鑑みなされたものであって、軸支部が開放部を有しているにも拘わらず、カバー部材が本体ケースから脱落しにくいインターホン機器を提供しようとするものである。
【課題を解決するための手段】
【０００７】
上記目的を達成するために、本発明のうち請求項１に記載の発明は、本体ケースに、自身と他の機器とを電気的に接続するための接続端子が内蔵されており、本体ケースの後面に、接続端子を露出させるための開口が開設されているとともに、開口を開閉するためのカバー部材が、開口を開放する開放姿勢と、開口を覆う閉塞姿勢との間で、上下方向を軸として回動可能に取り付けられたインターホン機器であって、カバー部材側に回動軸を有する軸構造部が、本体ケース側にカバー部材を軸支する軸支構造部が夫々設けられ、軸支構造部として、本体ケースの後面で開口の左右何れか一方側に、後側へ起立する軸支壁が設けられており、軸支壁に、軸支壁の左右方向で外縁から内側へと切り込まれて形成され、軸支壁の外縁側に開放されている開放部から回動軸を内部へ進入させることによって回動軸を軸支可能な軸支部が設けられているとともに、軸支構造部として、軸支壁の上下何れか一方に隣接した位置に、本体ケースの後面から後側へ隆起する係止段部と、係止段部の左右方向で外側にあって、且つ、少なくとも開放部よりも左右方向で内側が係止段部よりも後側へ隆起したクリック段部とが備えられている一方、軸構造部として、カバー部材を開放姿勢とした際に本体ケース側と対向する箇所に設けられ、開放姿勢において本体ケース側へ突出する係止部と、カバー部材を開放姿勢と閉塞姿勢との間と中間姿勢とした際に本体ケース側と対向する箇所に設けられ、中間姿勢において本体ケース側へ突出するクリック突起とが備えられており、開放姿勢において回動軸が軸支部内を開放部側へ移動すると、係止部が係止段部に係止し、中間姿勢において回動軸が軸支部内を開放部側へ移動すると、クリック突起がクリック段部に干渉することによって、回動軸の軸支部からの脱落が防止されることを特徴とする。
【０００８】
また、上記目的を達成するために、本発明のうち請求項２に記載の発明は、本体ケースに、自身と他の機器とを電気的に接続するための接続端子が内蔵されており、本体ケースの後面に、接続端子を露出させるための開口が開設されているとともに、開口を開閉するためのカバー部材が、開口を開放する開放姿勢と、開口を覆う閉塞姿勢との間で、左右方向を軸として回動可能に取り付けられたインターホン機器であって、カバー部材側に回動軸を有する軸構造部が、本体ケース側にカバー部材を軸支する軸支構造部が夫々設けられ、軸支構造部として、本体ケースの後面で開口の上下何れか一方側に、後側へ起立する軸支壁が設けられており、軸支壁に、軸支壁の上下方向で外縁から内側へと切り込まれて形成され、軸支壁の外縁側に開放されている開放部から回動軸を内部へ進入させることによって回動軸を軸支可能な軸支部が設けられているとともに、軸支構造部として、軸支壁の左右何れか一方に隣接した位置に、本体ケースの後面から後側へ隆起する係止段部と、係止段部の上下方向で外側にあって、且つ、少なくとも開放部よりも上下方向で内側が係止段部よりも後側へ隆起したクリック段部とが備えられている一方、軸構造部として、カバー部材を開放姿勢とした際に本体ケース側と対向する箇所に設けられ、開放姿勢において本体ケース側へ突出する係止部と、カバー部材を開放姿勢と閉塞姿勢との間と中間姿勢とした際に本体ケース側と対向する箇所に設けられ、中間姿勢において本体ケース側へ突出するクリック突起とが備えられており、開放姿勢において回動軸が軸支部内を開放部側へ移動すると、係止部が係止段部に係止し、中間姿勢において回動軸が軸支部内を開放部側へ移動すると、クリック突起がクリック段部に干渉することによって、回動軸の軸支部からの脱落が防止されることを特徴とする。
【発明の効果】
【０００９】
本発明によれば、本体ケース側の軸支構造部として、軸支部を有する軸支壁の上下何れか一方（請求項１）若しくは左右何れか一方（請求項２）に隣接した位置に、本体ケースの後面から後側へ隆起する係止段部を設けた。また、軸支構造部として、係止段部の左右方向（請求項１）若しくは上下方向（請求項２）で外側にあって、且つ、少なくとも開放部よりも左右方向（請求項１）若しくは上下方向（請求項２）で内側が係止段部よりも後側へ隆起したクリック段部を設けた。一方、カバー部材側の軸構造部として、カバー部材を開放姿勢とした際に本体ケース側と対向する箇所に、開放姿勢において本体ケース側へ突出する係止部を設けるとともに、カバー部材を開放姿勢と閉塞姿勢との間と中間姿勢とした際に本体ケース側と対向する箇所に、中間姿勢において本体ケース側へ突出するクリック突起を設けた。そして、開放姿勢において回動軸が軸支部内を開放部側へ移動すると、係止部が係止段部に係止し、中間姿勢において回動軸が軸支部内を開放部側へ移動すると、クリック突起がクリック段部に干渉するようにした。したがって、回動軸の軸支部からの不用意な脱落、すなわちカバー部材の本体ケースからの脱落を効果的に防止することができる。
【図面の簡単な説明】
【００１０】
【図１】インターホン子機の前面側を示した説明図である。
【図２】カバー部材が閉塞姿勢にある状態のインターホン子機を後側から示した斜視説明図である。
【図３】カバー部材が起立姿勢にある状態のインターホン子機を後側から示した斜視説明図である。
【図４】カバー部材が開放姿勢にある状態のインターホン子機を後側から示した斜視説明図である。
【図５】カバー部材を本体ケースから取り外した状態にあるインターホン子機を後側から示した斜視説明図である。
【図６】カバー部材を示した説明図である。
【図７】カバー部材が取り外された本体ケースを後側から示した斜視説明図である。
【図８】抜止片のクリック突起と抜止段部におけるクリック段部とが干渉している様子を示した説明図である。
【図９】カバー部材を閉塞姿勢とした際の抜止片と抜止段部とを示した説明図である。
【図１０】抜止片の係止部が抜止段部における係止段部に係止している様子を示した説明図である。
【発明を実施するための形態】
【００１１】
以下、本発明の一実施形態となるインターホン子機について、図面にもとづき詳細に説明する。
【００１２】
図１は、インターホン子機１の前面側を示した説明図である。図２は、カバー部材１０が閉塞姿勢にある状態のインターホン子機１を後側から示した斜視説明図である。図３は、カバー部材１０が起立姿勢にある状態のインターホン子機１を後側から示した斜視説明図である。図４は、カバー部材１０が開放姿勢にある状態のインターホン子機１を後側から示した斜視説明図である。図５は、カバー部材１０を本体ケース４から取り外した状態にあるインターホン子機１を後側から示した斜視説明図である。図６は、カバー部材１０を示した説明図である。図７は、カバー部材１０が取り外された本体ケース４を後側から示した斜視説明図である。図８は、カバー部材１０が起立姿勢にある場合に、抜止片１４ａのクリック突起１７と抜止段部２３ａにおけるクリック段部２６とが干渉している様子を示した説明図である。図９は、カバー部材１０を閉塞姿勢とした際の抜止片１４ａと抜止段部２３ａとを示した説明図である。図１０は、カバー部材１０が開放姿勢にある場合に、抜止片１４ａの係止部１８が抜止段部２３ａにおける係止段部２５に係止している様子を示した説明図である。
【００１３】
インターホン子機１は、前側に配置される前ケース２と、後側に配置される後ケース３とで構成される本体ケース４を有しており、本体ケースの前面には、来訪者を撮像するためのカメラ部９、通話のためのマイク部（図示せず）やスピーカ部５、押し込み操作可能な呼出ボタン６等が設けられている。そして、このようなインターホン子機１は、住戸の玄関の壁面等に設置されており、来訪者によって呼出ボタン６が押し込み操作されると、居室内に設置されたインターホン親機（図示せず）を呼び出すとともに来訪者を撮影する。その後、インターホン親機において応答操作がなされると、インターホン親機との間で通話可能となる。
【００１４】
ここで、本発明の要部となるインターホン子機１におけるカバー部材１０の取付構造について説明する。
本体ケース４には、インターホン親機との間での通話を制御する等のための各種基板が内蔵されており、そのうちの１つの基板の表面には、インターホン子機１と他の機器とをケーブル等で電気的に接続するための接続端子７が設置されている。一方、本体ケース４（後ケース３）の後面には、従来同様、開口８が開設されており、その開口８内に接続端子７が露出するようになっている。また、本体ケース４の後面には、開口８を開閉するためのカバー部材１０が、開口８の右側に傾倒して開口８を露出させる開放姿勢と、開口８の後側に傾倒して開口８を覆う閉塞姿勢との間で、略１８０度にわたり上下方向を軸として回動可能に取り付けられている。なお、カバー部材１０の左端部には、カバー部材１０を閉塞姿勢で保持するための係合突起１９が設けられている。また、開口８の左側には、閉塞姿勢にあるカバー部材１０の係合突起１９が係合可能な被係合部２７が設けられている。
【００１５】
カバー部材１０は、前側に開口する箱状の本体１１を有しており、本体１１の右側面（前側から見て）に、軸構造部１２が設けられている。軸構造部１２は、上下方向に所定間隔空けて並設された一対の軸片１３ａ、１３ｂと、各軸片１３ａ、１３ｂの上下方向で夫々外側（軸片１３ａの上側、及び軸片１３ｂの下側）に設けられた抜止片１４ａ、１４ｂとを備えている。軸片１３ａ、１３ｂは、本体１１の右側面から右側へ突設された上下方向に薄い舌片であって、その先端の表面で、抜止片１４ａ、１４ｂに対向する側の面（軸片１３ａの上面、及び軸片１３ｂの下面であって、各軸片１３ａ、１３ｂにおける上下方向で夫々外側となる面）には、抜止片１４ａ、１４ｂ側へ突出する回動軸１５ａ、１５ｂが夫々設けられている。なお、１６は、各軸片１３ａ、１３ｂの裏面（軸片１３ａの下面、及び軸片１３ｂの上面であって、各軸片１３ａ、１３ｂにおける上下方向で夫々内側となる面）に突設された補強リブであって、各軸片１３ａ、１３ｂの基端部から先端側へ左右方向に延設されている。
【００１６】
また、抜止片１４ａ、１４ｂは、軸片１３ａ、１３ｂ同様、本体１１の右側面から右側へ突設された上下方向に薄い舌片であって、抜止片１４ａは軸片１３ａに、抜止片１４ｂは軸片１３ｂに夫々対向している。各抜止片１４ａ、１４ｂの先端縁は、軸片１３ａ、１３ｂの回動軸１５ａ、１５ｂに対向する位置（回動中心）を中心とした略円弧状に形成されており、その頂部（後述するようにカバー部材１０を起立姿勢とした際、本体ケース４の後面側と対向する箇所）には、回動中心から径方向外側へ突出するクリック突起１７が設けられている。また、各抜止片１４ａ、１４ｂの先端縁であって、後述するようにカバー部材１０を開放姿勢とした際、本体ケース４の後面側と対向する箇所には、回動中心から径方向外側へむかって突出する爪状の係止部１８が設けられている。なお、各抜止片１４ａ、１４ｂと対向する軸片１３ａ、１３ｂとの間には、後述する軸支壁２２ａ、２２ｂの厚みよりも僅かに広い隙間が形成されている。また、係止部１８は、クリック突起１７よりも回動中心から径方向外側へ突出している。
【００１７】
一方、本体ケース４の後面における開口８の右側には、カバー部材１０を軸支するための軸支構造部２１が設けられている。軸支構造部２１は、一対の軸支壁２２ａ、２２ｂと、各軸支壁２２ａ、２２ｂの上下方向で夫々外側（軸支壁２２ａの上側、及び軸支壁２２ｂの下側）に隣接して設けられた抜止段部２３ａ、２３ｂとを備えている。軸支壁２２ａ、２２ｂは、本体ケース４の後面から後側へ突設された上下方向が厚み方向となる壁状部であって、各軸支壁２２ａ、２２ｂにおける上下方向で夫々内側となる面（軸支壁２２ａの下面、及び軸支壁２２ｂの上面）には、回動軸１５ａ、１５ｂを軸支可能な凹溝２４ａ、２４ｂが設けられている。凹溝２４ａ、２４ｂは、金型の構造上、各軸支壁２２ａ、２２ｂの右端縁から左側へ（各軸支壁２２ａ、２２ｂにおける左右方向で本体ケース４の外縁から内側へむかって）切り込むようにして形成されている。したがって、凹溝２４ａ、２４ｂの右端は、軸支壁２２ａ、２２ｂの右端縁から軸支壁２２ａ、２２ｂ外へ開放されており、当該開放部は、回動軸１５ａ、１５ｂを凹溝２４ａ、２４ｂ内へ進入させるための進入口として機能するようになっている。また、各軸支壁２２ａ、２２ｂにおける凹溝２４ａ、２４ｂの前後方向での位置、すなわち凹溝２４ａ、２４ｂから本体ケース４の後面までの前後方向での距離は、各抜止片１４ａ、１４ｂにおける回動中心から円弧状の端縁までの長さよりも長くなっている。
【００１８】
また、抜止段部２３ａ、２３ｂは、本体ケース４の後面から後側へ隆起するように形成されており、本体ケース４の後面から一段階隆起した係止段部２５と、係止段部２５の右側（凹溝２４の開放部側であって、左右方向で本体ケース４の外側）で、係止段部２５よりも更に後側へ一段階隆起したクリック段部２６とを有している。そして、係止段部２５の表面から凹溝２４ａ、２４ｂと同じ前後位置までの前後方向距離は、抜止片１４ａ、１４ｂにおける回動中心から係止部１８までの距離よりも短く、且つ、抜止片１４ａ、１４ｂにおける回動中心からクリック突起１７までの距離よりも長くなっている。また、係止段部２５の左端（係止段部２５における左右方向で本体ケース４の内側端）は、凹溝２４ａ、２４ｂの左端部よりも右側（凹溝２４ａ、２４ｂの閉塞側の端部よりも左右方向で本体ケース４の外側）に位置している。一方、クリック段部２６の表面から凹溝２４ａ、２４ｂと同じ前後位置までの前後方向距離は、抜止片１４ａ、１４ｂにおける回動中心からクリック突起１７までの距離よりも短くなっている。また、クリック段部２６の左端（クリック段部２６における左右方向で本体ケース４の内側端）は、凹溝２４ａ、２４ｂの開放部よりも左側（凹溝２４ａ、２４ｂ内側であって、左右方向で本体ケース４の内側）に位置している。
【００１９】
そして、上述したような軸構造部１２と軸支構造部２１とにより、カバー部材１０は以下のようにして取り付けられる。
まず、カバー部材１０を開放姿勢と閉塞姿勢との間の中間姿勢である起立姿勢として、回動軸１５ａ、１５ｂを対応する凹溝２４ａ、２４ｂの開放部にあてがう。そして、起立姿勢のままカバー部材１０を左側へスライドさせる。このとき、抜止片１４ａ、１４ｂと抜止段部２３ａ、２３ｂとが対向しており、クリック突起１７とクリック段部２６とが干渉する（図８）ものの、そのまま負荷をかけて回動軸１５ａ、１５ｂを凹溝２４ａ、２４ｂ内へ押し込めばよい。すると、抜止片１４ａ、１４ｂが僅かに撓んで回動軸１５ａ、１５ｂが凹溝２４ａ、２４ｂ内へ進入し、カバー部材１０が本体ケース４の後面に軸支される（図３）。そこで、カバー部材１０を起立姿勢から回動させて開口８を覆う閉塞姿勢とた後、閉塞姿勢のまま今度は右側へスライドさせれば、抜止片１４ａ、１４ｂと抜止段部２３ａ、２３ｂとが干渉することなくカバー部材１０が右側へ移動し（図９）、係合突起１９と被係合部２７とが係合してカバー部材１０が閉塞姿勢のまま保持されることになる（図２）。なお、カバー部材１０を起立姿勢から閉塞姿勢へと回動させるに際しては、回動軸１５ａ、１５ｂを凹溝２４ａ、２４ｂの閉塞側の端部まで到達させてから行えばよい。すると、抜止片１４ａ、１４ｂのクリック突起１７や係止部１８と抜止段部２３ａ、２３ｂとが干渉せず、スムーズにカバー部材１０を回動させることができる。
【００２０】
一方、ケーブルの接続等により接続端子７を露出させたい場合には、カバー部材１０を閉塞姿勢のまま左側へスライドさせて、係合突起１９と被係合部２７との係合を解除した後、開放姿勢まで回動させればよい（図４）。この開放姿勢にあっては、抜止片１４ａ、１４ｂにおいて係止部１８が本体ケース４の後面と対向している。そのため、たとえカバー部材１０が開放姿勢のまま右側へ、すなわち回動軸１５ａ、１５ｂが凹溝２４ａ、２４ｂから抜け出す側へ移動（回動軸１５ａ、１５ｂが凹溝２４ａ、２４ｂ内を開放部側へ移動）したとしても、回動軸１５ａ、１５ｂが凹溝２４ａ、２４ｂの開放部に到達するよりも前に係止部１８、１８が係止段部２５、２５に係止し（図１０）、回動軸１５ａ、１５ｂの凹溝２４ａ、２４ｂからの抜け出し、すなわちカバー部材１０の本体ケース４からの脱落が防止される。また、開放姿勢と閉塞姿勢との間での回動中に、カバー部材１０が右側へ移動する状況も起こりえる。しかしながら、上記起立姿勢にあっては、抜止片１４ａ、１４ｂにおいてクリック突起１７が本体ケース４の後面と対向しているため、カバー部材１０が右側へ移動したとしても、クリック突起１７とクリック段部２６とが干渉し（図８）、回動軸１５ａ、１５ｂの凹溝２４ａ、２４ｂからの抜け出しが効果的に防止される。
【００２１】
以上のような構成を有するインターホン子機１によれば、本体ケース４側の軸支構造部２１として、夫々凹溝２４ａ、２４ｂを有する軸支壁２２ａ、２２ｂの上下方向で夫々外側に隣接して、本体ケースの後面から後側へ隆起する係止段部２５と、係止段部２５の左右方向で外側にあって、且つ、少なくとも凹溝２４ａ、２４ｂの開放部よりも左右方向で内側が係止段部２５よりも後側へ隆起したクリック段部２６とを備えた抜止段部２３ａ、２３ｂが設けられている。一方、カバー部材１０側の軸構造部１２として、抜止片１４ａ、１４ｂが立設されているとともに、各抜止片１４ａ、１４ｂの先端がカバー部材１０の回動時に抜止段部２３ａ、２３ｂと対向するようにしており、その先端部で、カバー部材１０を開放姿勢した際に本体ケース４側と対向する箇所に、開放姿勢において本体ケース４側へ突出する係止部１８が設けられている。さらに、抜止片１４ａ、１４ｂの先端部で、カバー部材１０を開放姿勢と閉塞姿勢との間と起立姿勢とした際に本体ケース４側と対向する箇所に、起立姿勢において本体ケース４側へ突出するクリック突起１７が設けられている。そして、開放姿勢において回動軸１５ａ、１５ｂが凹溝２４ａ、２４ｂ内を開放部側へ移動すると、係止部１８が係止段部２５に係止し、起立姿勢において回動軸１５ａ、１５ｂが凹溝２４ａ、２４ｂ内を開放部側へ移動すると、クリック突起１７がクリック段部２６に干渉するようにした。したがって、回動軸１５ａ、１５ｂの凹溝２４ａ、２４ｂからの不用意な脱落、すなわちカバー部材１０の本体ケース４からの脱落を効果的に防止することができる。
【００２２】
なお、本発明に係るインターホン機器は、上記実施形態の態様に何ら限定されるものではなく、インターホン機器の全体的な構成は勿論、カバー部材の本体ケースへの取り付けに係る構成等についても、本発明の趣旨を逸脱しない範囲で、必要に応じて適宜変更することができる。
【００２３】
たとえば、上記実施形態では、軸構造部１２を構成するにあたり、回動軸１５ａ、１５ｂを軸片１３ａ、１３ｂに、クリック突起１７や係止部１８を抜止片１４ａ、１４ｂに夫々設けるとしているが、軸片１３ａ、１３ｂと抜止片１４ａ、１４ｂとの２つの舌片ではなく、１つの舌片に回動軸１５ａ、１５ｂ、クリック突起１７、及び係止部１８の全てを設けるように構成することも可能である。そのような構成を採用したとしても、本体ケース４側において、軸支壁２２ａ、２２ｂのどちらの面に凹溝２４ａ、２４ｂを形成するかや、軸支壁２２ａ、２２ｂの上下どちら側に抜止段部２３ａ、２３ｂを形成するかを設計変更することで容易に対応することができる。
また、上記実施形態では、軸支部として凹溝２４ａ、２４ｂを採用しているが、軸支壁２２ａ、２２ｂの上下両面に貫通するようなスリットを、軸支部として採用しても何ら問題はない。
【００２４】
さらに、上記実施形態では、本体ケース４の後面右側に軸支構造部２１を設けているが、本体ケース４の後面左側に軸支構造部２１を設けても何ら問題はない。
さらにまた、上記実施形態では、カバー部材１０を略１８０度にわたり回動可能とし、カバー部材１０の開放姿勢が、開口８の右側に傾倒した姿勢となるように構成しているが、カバー部材１０を略９０度にしか回動可能とせず、カバー部材１０の開放姿勢が、本体ケース４の後面に対して起立する起立姿勢となるように構成することも可能である。その際、中間姿勢は、本体ケース４の後面に対して所定角度傾斜する傾斜姿勢となる。なお、上記実施形態の如くカバー部材１０を略１８０度にわたり回動可能としたものにおいて、そのような傾斜姿勢を中間姿勢と特定することも当然可能である。
【００２５】
またさらに、上記実施形態では、カバー部材１０が上下方向を軸として回動可能に取り付けられたインターホン子機１について説明しているが、本発明に係るカバー部材の取付構造は、カバー部材が左右方向を軸として回動可能に取り付けられたものにおいても好適に採用し得る。そのように左右方向を軸としてカバー部材を回動可能に取り付ける場合、軸支壁を、本体ケースの後面で開口の上下何れか一方側に設け、その軸支壁に、軸支壁の上下方向で外縁から内側へと切り込んで軸支部を形成すればよい。また、係止段部とクリック段部とは、軸支壁の左右何れか一方に隣接した位置に設ければよい。さらに、クリック段部は、係止段部の上下方向で外側に設けるとともに、少なくとも開放部よりも上下方向で内側が係止段部よりも後側へ隆起するように形成すればよい。
加えて、上記実施形態では、インターホン機器の一例であるインターホン子機について説明しているが、他の機器と電気的に接続する接続端子を内蔵しているとともに、その接続端子を露出させる開口を備え、さらに該開口を開閉するカバー部材が回動可能に取り付けられてさえいれば、インターホン親機等の他のインターホン機器であっても何ら問題はない。
【符号の説明】
【００２６】
１・・インターホン子機（インターホン機器）、４・・本体ケース、７・・接続端子、８・・開口、１０・・カバー部材、１１・・本体、１２・・軸構造部、１３ａ、１３ｂ・・軸片、１４ａ、１４ｂ・・抜止片、１５ａ、１５ｂ・・回動軸、１７・・クリック突起、１８・・係止部、２１・・軸支構造部、２２ａ、２２ｂ・・軸支壁、２３ａ、２３ｂ・・抜止段部、２４ａ、２４ｂ・・凹溝（軸支部）、２５・・係止段部、２６・・クリック段部。
【図１】
2017139565.tif 000003
【図２】
2017139565.tif 000004
【図３】
2017139565.tif 000005
【図４】
2017139565.tif 000006
【図５】
2017139565.tif 000007
【図６】
2017139565.tif 000008
【図７】
2017139565.tif 000009
【図８】
2017139565.tif 000010
【図９】
2017139565.tif 000011
【図１０】
2017139565.tif 000012